【事件の表示】
　特願２００２−３３７４５６「ディスクチェンジャ装置」拒絶査定不服審判事件〔平成１５年　７月１１日出願公開、特開２００３−１９６９１５〕について、次のとおり審決する。
【結　論】
　本件審判の請求は、成り立たない。
【理　由】
１．手続の経緯・本願発明
　本願は、平成１１年３月４日に出願した特願平１１−５６９６９号の一部を平成１４年１１月２１日に新たな特許出願としたものであって、平成１６年１２月２０日付けで通知した拒絶の理由に対し、平成１７年３月３日付けで手続補正がなされたが、同年３月２８日付けで拒絶査定され、これに対して、同年４月２８日に拒絶査定不服審判が請求されたものである。
　
　そして、本願の特許請求の範囲の請求項１ないし３に係る発明は、前記平成１７年３月３日付け手続補正により補正された明細書の特許請求の範囲の請求項１ないし３に記載されたとおりのものであり、そのうち、請求項１に係る発明（以下、「本願発明」という。）は、次のとおりである。
「複数枚のディスクを配列して収納するマガジンと、
　前記マガジンを外部から挿入せしめて収容するマガジンホルダと、
　前記マガジンホルダ内に収容されたマガジンからディスクを再生位置まで引き出す引出手段と、
　前記引出手段を前記配列方向に搬送する搬送手段とを有し、前記マガジンから引き出されたディスクを再生するディスクチェンジャ装置であって、
　前記マガジンホルダには、収容されるマガジンの上面と対向する面に複数の押圧部が設けられ、前記複数の押圧部は、マガジンホルダ内に挿入されるマガジンの上面を下方に押圧することにより前記マガジンの挿入方向を規制することを特徴とするディスクチェンジャ装置。」
　
２．引用例
（１）これに対して、原査定の拒絶の理由に引用された特開平３−２３８６５９号公報（以下、「引用例１」という。）には、マガジンホルダに関して、以下の記載がある（なお、各引用例の下線は当審で付した。）。
ア．「本発明は、例えば
マルチタイプＣＤプレーヤに使用されるＣＤ収納マガジンなどのマガジンが挿入されるマガジンホルダに関し、詳しくは、マガジンの装填姿勢を正しく規制するマガジンホルダ
　
イ．「
マガジンＭには、複数のトレイｔが上下に積層され、これらトレイｔの中央にコンパクトディスクｄが収納されている
　マガジンＭが前面の開口５を通って支持フレーム３内に収納された後、蹴り出し機構でマガジンＭ内の所定のトレイｔが一枚ずつ蹴り出される。
蹴り出されたトレイｔは、図示した位置に位置決めされる。この位置で、コンパクトディスクｄが保持されて所定の回転速度で回転され、コンパクトディスクｄ上の情報がピックアップ３０によって読み取られる
　
ウ．「この形式のマルチプルタイプＣＤプレーヤにあっては、
マガジンＭが支持フレーム３前面の開口５から支持フレーム３（マガジンホルダ）内に挿入される
　
エ．「また、
マガジン１００の上面に対面するマガジンホルダ２１６の上側内面には、マガジン１００の上面に当接する規制リブ２１７，２１８が形成され
これらの規制リブ２１７，２１８は、前記マガジン挿入口２０５付近において、
マガジン１００の挿入方向に沿って互いに平行に延び
　ここで、
マガジンホルダ２１６の上側内面には、マガジン１００の装填時における押戻し作用端側、すなわち前端側の上面に対面する箇所に、左右一対の規制リブ２１９，２１９が規制突部として形成されている
規制リブ２１７，２１８と同様にマガジン１００の挿入方向に沿って互いに平行に延びており、マガジン１００の押戻し作用端側の上面に当接してその浮上がりを防止する
　
オ．「
マガジンホルダ２１６は、選択されたＣＤ収納トレイ１０１が所定の送出し位置に合致する
　
カ．「
選択されたＣＤ収納トレイ１０１が取出し位置に合致した後
　回転カム６１０の回転によって、そのカム溝に係合しているリンクレバー６６０を介して、中間リンクレバー６６３が前方に移動する。そして、中間リンクレバー６６３の端部は、ガイド溝３７１に沿って移動する支持軸６６４に案内され、トレイ押し出しレバー３０１の中間部に前方向の力を加える。その結果、トレイ押し出しレバー３０１の端部にある係合ピン３０２がガイド溝３７２に案内され、他端部が反時計方向に回転してマガジン１００の押出し窓１０２に進入する。更に、
押出しレバー３０１が回転すると、その先端部と同じ位置にあるＣＤ収納トレイ１０１がマガジン１００から押し出される
ターンテーブル５０１側に送り込まれる
　
キ．「クランプ動作が完了すると、モータ５０２が駆動され、
ターンテーブル５０１が回転し、ＣＤを回転させ
　このとき、ステッピングモータ５０４も同時に駆動される。ステッピングモータ５０４の動力は、小プーリ５０３，ベルト５０６及び大プーリ５０５を介して回転軸５０７に伝えられる。そして回転軸５０７が回転すると、そのネジ部５０８との噛合いでピックアップ５１０は、ガイドレール５１１にガイドされながら右側に徐々に移動する。そして、ピックアップ５１０のピックアップヘッドてＣＤのＴＯＣエリアの情報が読み取られた後、所定のエリアに移動し、そのエリアに記録されている情報が読み出される。このようにして、
ＣＤに記録されている音楽等の情報が再生される
　
上記ア．ないしキ．の記載及び図面を総合勘案すると、引用例１にはマルチタイプＣＤプレーヤについて次の発明（以下、「引用例１発明」という。）が記載されている。
「複数のＣＤを積層して収納するマガジンと、
　マガジンが挿入されるマガジンホルダと、
　マガジンからＣＤをターンテーブル側に押し出す押出しレバーとを有し、取出し位置に合致したＣＤを押し出して情報を再生するマルチタイプＣＤプレーヤであって、
　マガジンホルダの上側内面には、マガジンの上面に当接する互いに平行に延びた複数のリブが設けられ、複数のリブは、マガジンの挿入方向に沿って互いに平行に延びており、マガジンの挿入時マガジンの上面に当接してその浮上がりを防止する規制突部として形成されているマルチタイプＣＤプレーヤ。」
　
（２）同じく原査定の拒絶の理由に引用された特開平８−９６４７５号公報（以下、「引用例２」という。）には、ディスクプレーヤのマガジン収納装置に関して、以下の記載がある。
ク．「【０００３】ところで、
マガジンホルダーとマガジンとの間には、マガジンの挿入、押戻しの抵抗を少なくするために所定のクリアランスが設けてある
【０００４】このような問題を解消する技術として、
特開平３−２３８６５９号公報
規制突部でマガジンを押えて、その浮き上がりを防止する
　
ケ．「【００１０】ディスクプレーヤーは、マガジン１と、ベースユニット２と、昇降ユニット３と、ローディングユニット４とにより構成されている。前記
マガジン１は、図３乃至図９に示すように箱状のケース５を備え
　
コ．「【００１４】前記
ケース５内には複数枚（９枚）のトレー１７が出入れ可能に挿入してあって、これらのトレー１７によって、ディスクＭＤを収納する
　
サ．「【００２０】
マガジンホルダー５００を構成する左右および中央のマガジン収容部Ａ、Ｃ、Ｂ
　
シ．「【００２２】また、右のマガジン収容部Ｃの前記マガジン案内機構４２は、マガジン収容部Ｃの底面部の中央の右寄りに前後方向に所定の間隔をおいて設けた複数のガイドピン４６と、前記支柱３５の下部のガイド３７と、前記ガイド４１と、トッププレート７３の右側面部７３Ｒとで構成されている。また、
左右および中央のマガジン収容部Ａ、Ｃ、Ｂの天井であるトッププレート７３の上部部位７３ａには、前後のマガジン押えローラー４７、４８が板ばね４９に回転可能に保持された上部押え機構７４が設けてある
　
ス．「【００２９】前記
昇降ユニット３は前記ベースプレート７２上を左右にスライド移動し、前記マガジン収容部Ａ、Ｂ、Ｃ内の１つのマガジン１を選択すると共に、内部のローディングユニット４の上下動作を行い、目的のディスクＭＤを選択する
ローディングユニット４を上下方向に移動する昇降機構８４とを備えている
　
セ．「【００４２】次に、上記のように構成されたディスクプレーヤーの作動を説明する。前記
マガジン１の各トレー１７にはディスクＭＤが収容してあり
トレー１７のストッパー片部２１の突起部２２が前記ディスクＭＤのターンテーブル用の穴に係止されていて衝撃時の脱落防止を行っている。又、この突起部２２の弾発力によりカートリッジ内のディスクＭＤがカートリッジ内壁に押圧され、ディスクＭＤとカートリッジとのがたつきが防止される
　
ソ．「【００７２】前記
ローディングユニット４が前記スライド機構７１および昇降機構８４のそれぞれの作動によりマガジン１の所定のディスク取出し位置に来ると、シャーシユニット１０７に設けられた一次引出し機構１１が作動してディスクＭＤを所定量引っ張り出し
【００７３】次に、
ローディングユニット４の二次引出し機構が作動してディスクＭＤをホルダー内に引き込む。そして、このディスクＭＤをターンテーブル上に位置させる。
　
３．対　比
　本願発明と引用例１発明とを対比する。
　引用例１発明の「ＣＤ」は、本願発明の「ディスク」に相当する。
　引用例１発明と本願発明とにおいて、「マガジン」及び「マガジンホルダ」は共通している。
　引用例１発明の「複数のＣＤを積層して収納するマガジン」は、「積層」が「配列」の一形態であるから、本願発明の「複数枚のディスクを配列して収納するマガジン」に相当する。
　引用例１発明の「マガジンが挿入されるマガジンホルダ」は、図面を参照すると外部に通じる開口からマガジンが挿入されており、本願発明の「マガジンを外部から挿入せしめて収容するマガジンホルダ」に相当する。
　
　引用例１発明の「ターンテーブル側」は、ＣＤを載置して回転し、ＣＤに記録されている情報を再生するための位置のことであるから、本願発明の「再生位置」に相当する。
　引用例１発明の「マガジンからＣＤをターンテーブル側に押し出す」は、ＣＤを再生するためにマガジンからＣＤを出している点で、本願発明の「マガジンホルダ内に収容されたマガジンからディスクを再生位置まで」「出す」ことに相当し、引用例１発明の「押出しレバー」は、ＣＤを出す手段のレバーである点で、本願発明のマガジンからディスクを再生位置まで「出す」「手段」に相当する。
　
　引用例１発明の「取出し位置に合致したＣＤを押し出して情報を再生する」ことは、収納されているマガジンからＣＤを出して再生している点で、本願発明の「マガジンから」「出されたディスクを再生する」に相当し、引用例１発明の「マルチタイプＣＤプレーヤ」は、マガジンに収納されたＣＤを選択して再生することのできる装置である点において、本願発明の「ディスクチェンジャ装置」に相当する。
　
　引用例１発明の「マガジンホルダの上側内面」は、マガジンホルダに挿入されるマガジンの上側に対面する（上記２．（１）エ．参照）のであるから、本願発明の「収容されるマガジンの上面と対向する面」に相当する。
　引用例１発明における「複数のリブ」は、「マガジンの挿入時における規制突部」として形成され、本願発明の「押圧部」は「マガジンの挿入方向を規制する」のであるから、前記「リブ」と前記「押圧部」は、両者とも、マガジンの挿入に際して「規制手段」として機能する構造であることが明らかである。
　引用例１発明の「マガジンホルダの上側内面」に設けられた「マガジンの上面に当接する互いに平行に延びた複数のリブ」は、マガジンの装填時における押戻し作用端側、すなわち前端側の上面に対面する箇所に、左右一対、規制突部として形成されている（上記２．（１）エ．参照）点で、本願発明の「マガジンホルダには、収容されるマガジンの上面と対向する面に複数の（規制手段）が設けられ」た点と共通する。
　引用例１発明の前記「複数のリブ」が、「マガジンの挿入時マガジンの上面に当接してその浮上がりを防止する規制突部として形成されている」ことは、少なくともマガジンが浮き上がろうとした場合にはマガジンを下方へ押圧する機能を有していることは自明であるから、本願発明における「規制手段」としての「押圧部」が、「マガジンホルダ内に挿入されるマガジンの上面を下方に押圧することにより前記マガジンの挿入方向を規制する」ことに相当する。
　
　以上のことからすると、本願発明と引用例１発明との〈一致点〉及び〈相違点〉は、以下のとおりである。
〈一致点〉
「複数枚のディスクを配列して収納するマガジンと、
　前記マガジンを外部から挿入せしめて収容するマガジンホルダと、
　前記マガジンホルダ内に収容されたマガジンからディスクを再生位置まで出す手段とを有し、前記マガジンから出されたディスクを再生するディスクチェンジャ装置であって、
　前記マガジンホルダには、収容されるマガジンの上面と対向する面に複数の（規制手段）が設けられ、前記複数の（規制手段）は、マガジンホルダ内に挿入されるマガジンの上面を下方に押圧することにより前記マガジンの挿入方向を規制するディスクチェンジャ装置。」
　
〈相違点〉
（１）本願発明のディスクチェンジャ装置は、「ディスクを再生位置まで引き出す引出手段」及び「引出手段を配列方向に搬送する搬送手段」を有しているのに対して、引用例１発明は、「押し出す押出しレバー」がディスクをマガジンから押し出すように構成されている点。
（２）マガジンの挿入方向を規制する「規制手段」として、本願発明では、「押圧部」を以てするのに対し、引用例１発明は「リブ」である点。
　
４．当審の判断
相違点（１）について
　引用例２記載のディスクプレーヤは、マガジンに収容してあるディスクＭＤをターンテーブルに位置させるために、ディスクＭＤをマガジンから引っ張り出すための引出し機構を有し、引出し機構が複数のディスクＭＤの配列方向に昇降するローディングユニットを設けたものである。
　また、本願明細書に従来の技術として示されている特開平１０−７４３５３号公報には、コンパクトディスクオートチェンジャについて、段落【００３１】に、「駆動装置４が、選択したＣＤを載置したトレイ２３に対応する高さ位置まで移動した後は、駆動装置４が有する図示しないフックにより、当該トレイ２３をマガジン２２から再生部４ａとクランプ部４ｂとの間位置に水平に引き出す。」ことが記載されている。
　してみると、マガジンからＣＤを出して再生する引用例１発明のマルチタイプＣＤプレーヤにおいて、ＣＤをマガジンから引き出す引出手段を設けるとともに、ＣＤが積層された配列方向に前記引出手段を搬送する搬送手段を設けることにより、選択されたＣＤが再生されるようにすることは、引用例２及び前記従来技術等にて周知の構成にすぎないから、引用例１発明に前記周知の構成を適用して「ディスクを再生位置まで引き出す引出手段」及び「引出手段を配列方向に搬送する搬送手段」を有する構成とすることは、当業者が容易に想到しうるものである。
　
相違点（２）について
　上記「３．対比」で検討したとおり、「複数のリブ」は、少なくともマガジンが浮き上がろうとした場合にはマガジンを下方へ押圧する機能を有することは自明であるから、前記「リブ」は、「押圧手段」ともいうことができるものであり、その意味では、単に文言上の相違にすぎないものとなる。
　また、実施の形態に配慮して、本願発明の「押圧部材」が、ばね状の部材で形成され、引用例１では「リブ」が形成されている点に相違を認めた場合、引用例２に、マガジンホルダーとマガジンとの間に、マガジンの挿入、押戻しの抵抗を少なくするためのクリアランスがあること、マガジンホルダーのトッププレートに板ばねに回転可能に保持された上部押え機構を設け、マガジンを上部から押さえている構成が記載されている。更に、トレーのストッパー片部の弾発力により、カートリッジ内のディスクＭＤがカートリッジ内壁に押圧され、ディスクＭＤとカートリッジとのがたつきを防止していることが記載されている。
　引用例２には、引用例１の特開平３−２３８６５９号公報に言及し、同公報に記載されるディスクチェンジャを従来技術と把握していることが明らかであるから、引用例１発明のマルチタイプＣＤプレーヤにおいて、マガジンの上面に当接するマガジンホルダに設けられる規制手段を、マガジンの上面から下方へ押圧する板ばねで構成される「押圧部」とし、挿入するマガジンの挿入方向を規制すると共に、がたつきも防止することは、引用例２に記載された発明から当業者が容易に想到しうることである。
　
　結局、前記相違点は、格別なものではなく、また、前記相違点を総合的に検討しても本願発明の奏する効果は、各引用例及び周知事項から当業者が当然に予測できる範囲内のものと認められる。
　
５．むすび
　以上のとおり、本願の請求項１に係る発明は、引用例１，２に記載された発明に基づき、周知事項も考慮して当業者が容易に発明をすることができたものであるから、特許法第２９条第２項の規定により特許を受けることができない。
　したがって、その余の請求項について検討するまでもなく、本願は、拒絶すべきものである。
　よって、結論のとおり審決する。